(57)【要約】【課題】Ｈ形鋼からなる梁への着脱を容易にしながらも、安定した設置を可能とした仮設手摺を提供する。【解決手段】この仮設手摺１は、Ｈ形鋼からなる梁１１に対して着脱可能に立設される手摺支柱２・・を備え、手摺支柱２・・の下端部には、梁１１の上フランジ１１ａに載置される載置プレート６と、この載置プレート６から下方に向かって突出して、梁１１の上下フランジ１１ａ、１１ａに形成された上下の梁穴１２、１２に跨って挿脱可能に差し込まれる差し込みシャフト７、７とが一体に設けられている。【選択図】図１
2010071042.tif 000002
【特許請求の範囲】
【請求項１】
上下一対のフランジ（１１ａ）（１１ａ）を有するＨ形鋼からなる梁（１１）に対して着脱可能に立設される手摺支柱（２）・・を備えた仮設手摺（１）であって、前記手摺支柱（２）・・の下端部に、前記梁（１１）の上フランジ（１１ａ）に載置される載置プレート（６）と、この載置プレート（６）から下方に向かって突出して、前記梁（１１）の上下フランジ（１１ａ）（１１ａ）に形成された上下の梁穴（１２）（１２）に跨って挿脱可能に差し込まれる差し込みシャフト（７）（７）とが一体に設けられたことを特徴とする仮設手摺。
【請求項２】
複数の差し込みシャフト（７）（７）が、前記載置プレート（６）から下方に向かって互いに略平行に突出されている請求項１記載の仮設手摺。
【請求項３】
前記載置プレート（６）は、前記梁（１１）の上フランジ（１１ａ）上面に重ね合わされる水平部（６ａ）と、この水平部（６ａ）から立ち上がって、前記梁（１１）の上フランジ（１１ａ）に設置された床パネル（１３）の端面（１３ａ）に当接可能とされた垂直部（６ｂ）とを備えた請求項１又は２記載の仮設手摺。
【請求項４】
前記載置プレート（６）の水平部（６ａ）は、前記梁（１１）の上フランジ（１１ａ）上面に納まる大きさとされている請求項３記載の仮設手摺。
【発明の詳細な説明】
【技術分野】
【０００１】
この発明は、主として多層階建物の建築現場において、階段施工部や吹き抜け施工部等の開口部位周辺、その他の墜転落危険部位周辺に設置する仮設手摺に関する。
【背景技術】
【０００２】
一般に、鉄骨造の多層階建物の建築現場においては、階段施工部や吹き抜け施工部は開口状態となっていて墜転落の危険性があるため、それら開口部位周辺に壁材が取り付けられるまでの間、開口部位周辺に仮設手摺を設置して、作業員の安全を確保していることが多い。
【０００３】
この種の仮設手摺としては、例えば特許文献１にも開示されているように、手摺支柱の下端に設けた装着部を、開口部位周辺に配されているＨ形鋼からなる梁の上フランジに装着することで、梁に対して着脱可能に立設する構造のものが知られている。
【特許文献１】特開平９−４９３３７号公報
【発明の開示】
【発明が解決しようとする課題】
【０００４】
しかしながら、従来の仮設手摺においては、安定した設置を実現するために、手摺支柱の下端に設けた装着部を、梁の上フランジに係合させながらボルト等によって締め付け固定することで、梁に対する取付強度を高めるようにしているが、この場合、梁への着脱に際してボルト等を締め付けたり緩めたりするといった煩雑な作業がその都度必要となって、仮設手摺の設置及び撤去、移設（配置換え）が面倒で、作業効率の低下を招くといった不具合が生じていた。さらに、梁の上フランジに固定した装着部が、上フランジよりも側方へ張り出してしまうことから、仮設手摺を設置した状態で壁材等を後付けで施工する場合に、支障をきたすといった不具合もあった。
【０００５】
この発明は、上記の不具合を解消して、Ｈ形鋼からなる梁への着脱を容易にしながらも、安定した設置を可能とした仮設手摺を提供することを目的とする。
【課題を解決するための手段】
【０００６】
上記課題を解決するため、この発明の仮設手摺１は、上下一対のフランジ１１ａ、１１ａを有するＨ形鋼からなる梁１１に対して着脱可能に立設される手摺支柱２・・を備え、前記手摺支柱２・・の下端部に、前記梁１１の上フランジ１１ａに載置される載置プレート６と、この載置プレート６から下方に向かって突出して、前記梁１１の上下フランジ１１ａ、１１ａに形成された上下の梁穴１２、１２に跨って挿脱可能に差し込まれる差し込みシャフト７、７とが一体に設けられたことを特徴としている。
【０００７】
また、複数の差し込みシャフト７、７が、前記載置プレート６から下方に向かって互いに略平行に突出されている。
【０００８】
さらに、前記載置プレート６は、前記梁１１の上フランジ１１ａ上面に重ね合わされる水平部６ａと、この水平部６ａから立ち上がって、前記梁１１の上フランジ１１ａに設置された床パネル１３の端面１３ａに当接可能とされた垂直部６ｂとを備えている。
【０００９】
さらにまた、前記載置プレート６の水平部６ａは、前記梁１１の上フランジ１１ａ上面に納まる大きさとされている。
【発明の効果】
【００１０】
この発明の仮設手摺においては、差し込みシャフトを梁の上下フランジに形成された上下の梁穴に跨って差し込みながら、載置プレートを梁の上フランジに載置するだけで、梁に手摺支柱を立設させることができ、また、手摺支柱を上方に持ち上げて梁の上下の梁穴から差し込みシャフトを抜き取るだけで、梁から手摺支柱を取り外すことができることから、梁への着脱を容易にして設置及び撤去、移設（配置換え）を簡単に行うことができ、作業効率の向上を図ることができる。しかも、手摺支柱の立設状態において、上下の梁穴を貫通した差し込みシャフトが上下２箇所において支持されていることから、ボルト等による締め付けを行わなくても、手摺支柱のぐらつきを抑えた、安定した設置が可能となっている。
【００１１】
また、載置プレートに、複数の差し込みシャフトを互いに略平行に設けることで、仮設手摺の梁への設置状態において、上下の梁穴を貫通した複数の差し込みシャフトが上下左右の複数箇所において支持されることになり、手摺支柱のぐらつきを確実に抑えて、より一層安定して設置することができる。
【００１２】
さらに、載置プレートの垂直部を、梁の上フランジに設置された床パネルの端面に当接させることで、手摺支柱のぐらつきを確実に抑えて、より一層安定して設置することができる。
【００１３】
さらにまた、載置プレートの水平部を、梁の上フランジ上面に納まるようにして、載置プレートを上フランジ上面に載置することで、載置プレートの上フランジよりも側方への張り出しをなくして、仮設手摺を設置した状態であっても、壁材等を後付けで支障なく施工することが可能となり、施工性の向上を図ることができる。
【発明を実施するための最良の形態】
【００１４】
この発明の実施形態を、図面を参照しつつ詳細に説明する。この発明の一実施形態に係る仮設手摺１は、図５に示すように、鉄骨造の多層階建物の建築現場において、階段施工部や吹き抜け施工部等の開口部位１４の周辺に配された梁１１に設置されて、作業中の作業員の墜転落を防止するものである。なお、この仮設手摺１は、開口部位１４の周辺の梁１１だけに限らず、その他の墜転落危険部位の周辺に配された梁に設置しても良い。
【００１５】
梁１１は、図２及び図３に示すように、上下一対のフランジ１１ａ、１１ａの長手方向に沿った中央部同士をウエブ１１ｂによって連結したＨ形鋼からなり、上下フランジ１１ａ、１１ａの長手方向に沿った両端部には、長手方向に間隔をあけて複数の梁穴１２・・が夫々形成されている。なお、上フランジ１１ａの梁穴１２・・の真下に、下フランジ１１ａの梁穴１２・・が配置されている。
【００１６】
仮設手摺１は、図１に示すように、複数の金属製の手摺支柱２・・と、これら手摺支柱２・・を繋ぐ複数の金属製の横桟８・・と、手摺支柱２・・の下端部に一体に設けられて、手摺支柱２・・を梁１１に対して着脱可能に立設させるための複数の金属製の取付体５・・とを備えている。
【００１７】
手摺支柱２は、パイプ状の本体部３と、この本体部３の上端及び中央付近において、本体部３を挟むようにして設けられた複数の接続部４・・とを備えている。各接続部４は、平面視略コ字状に形成され、その縦方向に沿った両端部を本体部３に溶接することによって、本体部３に一体に取り付けられている。
【００１８】
横桟８は、パイプ状の本体部９と、この本体部９の両端に設けられた一対の爪部１０、１０とを備えている。各爪部１０は、下向きに形成され、手摺支柱２の接続部４に上方から差し込み可能になっている。なお、横桟８としては、例えば、０．２５ｍ、０．５０ｍ、０．７５ｍ、１．００ｍ、１．５０ｍ、２．００ｍといった長さの異なる数種類のものが用意されている。
【００１９】
そして、隣接する手摺支柱２、２の互いに対向する接続部４、４に、横桟８の爪部１０、１０を上方から差し込むことで、手摺支柱２、２同士が横桟８を介して連結されるようになっている。なお、手摺支柱２は、単独でも立設して使用することが可能となっている。
【００２０】
取付体５は、図２及び図３に示すように、梁１１の上フランジ１１ａに載置される載置プレート６と、梁１１の上下フランジ１１ａ、１１ａに形成された上下の梁穴１２、１２に跨って挿脱可能に差し込まれる一対の差し込みシャフト７、７とを備えている。
【００２１】
載置プレート６は、略長方形状の水平部６ａと、この水平部６ａの長手方向の一端から略直角に立ち上がった略長方形状の垂直部６ｂとからなり、全体的に略Ｌ字状に形成されている。この載置プレート６は、水平部６ａを手摺支柱２の本体部３の下端に溶接することによって、手摺支柱２に固定されている。また、載置プレート６は、図３に示すように、差し込みシャフト７、７を梁１１の上下の梁穴１２、１２に差し込んだ状態において、水平部６ａを梁１１の上フランジ１１ａ上面に重ね合わせるようにして、梁１１の上フランジ１１ａに載置されるようになっている。そして、この載置状態において、水平部６ａが、上フランジ１１ａから側方へ張り出すことが無いように、上フランジ１１ａ上面におけるウエブ１１ｂを挟んだ幅方向の略半分（例えば左側）の範囲内に納まり、垂直部６ｂが、上フランジ１１ａ上面におけるウエブ１１ｂを挟んだ幅方向の略半分（例えば右側）を利用して設置されているＡＬＣ等の床パネル１３の端面１３ａに当接可能となっている。
【００２２】
差し込みシャフト７、７は、載置プレート６の水平部６ａから下方へ向かって互いに略平行に突出したボルトからなる。これら差し込みシャフト７、７は、載置プレート６の水平部６ａを貫通して、その頭部を水平部６ａの上面に溶接することによって、載置プレート６に固定されている。なお、差し込みシャフト７、７の間隔は、梁１１の長手方向に隣接する梁穴１２、１２間の間隔と同じであり、差し込みシャフト７、７の長さは、梁１１の上下の梁穴１２、１２に差し込んだ時に、下フランジ１１ａよりも下方へ僅かに突出するように、上下の梁穴１２、１２間の間隔よりも長くなっている。
【００２３】
次に、上記の仮設手摺１の施工方法について説明する。仮設手摺１を梁１１に対して取り付けるには、まず、手摺支柱２・・を梁１１に立設する。この場合、図２及び図３に示すように、取付体５の差し込みシャフト７、７を、梁１１の上方から上下の梁穴１２、１２に跨るように差し込みながら、載置プレート６を梁１１の上フランジ１１ａに載置する。なお、差し込みシャフト７、７は、固定することなく、単に梁穴１２、１２に差し込んだだけとする。
【００２４】
この手摺支柱２の立設状態において、載置プレート６の水平部６ａが梁１１の上フランジ１１ａ上面に重ね合わされ、上下の梁穴１２・・を貫通した差し込みシャフト７、７が上下２箇所で支持されることから、手摺支柱２は、ぐらつきのない安定した状態で立設されている。
【００２５】
また、図３に示すように、梁１１の上フランジ１１ａ上面に床パネル１３が設置されている場合には、載置プレート６の垂直部６ｂを床パネル１３の端面１３ａに当接させることで、手摺支柱２のぐらつきを確実に抑えることができ、さらに、載置プレート６の水平部６ａが、梁１１の上フランジ１１ａよりも側方へ張り出すことなく、梁１１の上フランジ１１ａ上面に納まっているので、壁材等の後付け施工に際して邪魔になることもない。
【００２６】
そして、このようにして梁１１に立設された複数の手摺支柱２・・の互いに対向する接続部４、４に対して、図４に示すように、横桟８・・の爪部１０、１０を上方よりハンマー等を用いて嵌入して、手摺支柱２・・を横桟８・・で繋ぐことで、仮設手摺１の取り付けが完了する。なお、仮設手摺１は、手摺支柱２・・の本数や間隔を調整しながら、長さの異なる横桟８・・を適宜使い分けることで、図５に示すように、開口部位１４を囲むようにして取り付けられるが、独立柱２０周りに生じる僅かな隙間等には、手摺支柱２のみを単独で使用して配置しても良い。また、手摺支柱２・・に対して横桟８・・を片持ち状態に支持して、例えばコーナー部分等に生じる隙間を塞ぐようにしても良い。
【００２７】
次に、仮設手摺１を梁１１から取り外すには、まず、横桟８・・をハンマー等を用いて上方に押し上げて、横桟８・・の爪部１０、１０を手摺支柱２・・の接続部４、４から抜き出すことで、横桟８・・を取り外す。そして、手摺支柱２・・を上方に持ち上げて、梁１１の上下の梁穴１２、１２から差し込みシャフト７、７を引き抜くことで、仮設手摺１の取り外しが完了する。
【００２８】
以上にこの発明の具体的な実施の形態について説明したが、この発明は上記形態に限定されるものではなく、この発明の範囲内で種々変更して実施することが可能である。例えば、載置プレートは、水平部と垂直部を備えた略Ｌ字状のものだけに限らず、略コ字状や略ロ字状等のその他形状のものを用いるようにしても良い。また、載置プレートから突出する差し込みシャフトは、２本に限らず、１本や３本以上であっても良い。
【図面の簡単な説明】
【００２９】
【図１】この発明の一実施形態に係る仮設手摺の斜視図である。
【図２】取付体の斜視図である。
【図３】取付体の取付状態を示す斜視図である。
【図４】仮設手摺の設置状態を示す斜視図である。
【図５】開口部位周辺を囲むように配置した仮設手摺の斜視図である。
【符号の説明】
【００３０】
１・・仮設手摺、２・・手摺支柱、６・・載置プレート、６ａ・・水平部、６ｂ・・垂直部、７・・差し込みシャフト、１１・・梁、１１ａ・・フランジ、１２・・梁穴、１３・・床パネル、１３ａ・・床パネル端面
【図１】
2010071042.tif 000003
【図２】
2010071042.tif 000004
【図３】
2010071042.tif 000005
【図４】
2010071042.tif 000006
【図５】
2010071042.tif 000007